【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
キャリアアグリゲーションを使用するワイヤレス通信ネットワークにおけるモバイルデバイスの２次コンポーネントキャリア上でのワイヤレス通信のための方法であって、
前記モバイルデバイスにおいて、２次セルとの前記２次コンポーネントキャリア上での通信リンクの障害を示すイベントについて、前記２次セルのダウンリンク無線リンク品質を監視することと、
前記イベントを検出したことに応答して、前記２次セルの障害状態を宣言することと、ここにおいて、前記検出することは、前記２次セルから受信された基準信号のチャネル品質または前記モバイルデバイスにおける復調性能のうちの少なくとも１つを測定することを備え、前記イベントは、前記チャネル品質または復調性能のうちの少なくとも１つが、前記モバイルデバイスが前記２次コンポーネントキャリアに関係する動作を調整する所定の時間期間の間所定のしきい値を下回るときに検出されたリンク障害を含み、前記障害状態は、前記モバイルデバイスにおいてそれ自体の使用のために前記モバイルデバイスによって宣言される、
前記障害状態に応答して前記２次コンポーネントキャリア上でセル探索を実行することと、ここにおいて、前記セル探索は、前記２次コンポーネントキャリア上での通信のために割り当てられた１つまたは複数の２次セルからの１つまたは複数の同期または基準信号を監視することを備える、
前記監視された１つまたは複数の同期または基準信号の品質に基づいて、前記１つまたは複数の２次セルを使用する前記２次コンポーネントキャリア上での前記通信リンクを復元することと、ここにおいて、前記通信リンクを前記復元することは、前記２次コンポーネントキャリア上での前記通信リンクが前記１つまたは複数の２次セルとの通信を含むように、前記１つまたは複数の２次セルとの接続を確立することを備える、
を備える方法。
【請求項２】
前記障害状態を宣言したことに応答して、
前記モバイルデバイスにおいて、前記２次セルに関連するＲＦ受信機を無効にすること、
前記モバイルデバイスにおいて、前記２次セルに関連する復調経路を無効にすること、
前記モバイルデバイスにおいて、前記２次セルに関連する変調経路を無効にすること、
前記モバイルデバイスにおいて電力を低減すること、または
それらの２つまたはそれ以上の組合せ
をさらに備える、請求項１に記載の方法。
【請求項３】
前記モバイルデバイスにおいて電力を前記低減することが、
前記モバイルデバイス中のいくつかのコンポーネントの電圧レベルを低下させること、
前記モバイルデバイス中のいくつかのコンポーネントの前記電圧レベルを無効にすること、
前記モバイルデバイス中のいくつかのコンポーネントの周波数レベルを低下させること、
前記モバイルデバイス中のいくつかのコンポーネントの前記周波数レベルを無効にすること、または
それらの２つまたはそれ以上の組合せ
のうちの１つを含む、請求項２に記載の方法。
【請求項４】
前記障害状態に応答して、前記１つまたは複数の２次セルの、前記１つまたは複数の同期または基準信号、またはセル固有基準信号、のうちの１つまたは複数の前記品質の測定を実行すること、ここにおいて、前記復元することは、前記品質が通信のための少なくともしきい値品質を満たすとき、前記１つまたは複数の２次セルとの前記２次コンポーネントキャリア上での前記通信リンクを復元することを含む、
をさらに備える、請求項１に記載の方法。
【請求項５】
前記１つまたは複数の２次セルとの前記通信リンクを前記復元することが、
前記モバイルデバイスにおいて、前記１つまたは複数の２次セルに関連するＲＦ受信機を使用可能にすること、
前記モバイルデバイスにおいて、前記１つまたは複数の２次セルに関連する復調経路をアクティブにすること、
前記モバイルデバイスにおいて、前記１つまたは複数の２次セルに関連する変調経路をアクティブにすること、
前記モバイルデバイスにおいて電力を回復させること、または
それらの２つまたはそれ以上の組合せ
のうちの１つを含む、請求項１に記載の方法。
【請求項６】
前記１つまたは複数の２次セルとの前記通信リンクを前記復元することが、前記モバイルデバイスによって、前記セル探索中に検出された探索オフセットを使用して１つまたは複数の２次セルトラッキングループを更新することを備え、
前記１つまたは複数の２次セルトラッキングループを前記更新することが、前記１つまたは複数の２次セルトラッキングループを再初期化することを含む、
請求項１に記載の方法。
【請求項７】
前記２次セルのための低い品質値に設定されたチャネル品質インジケータと、
前記２次セルのための低いランク値に設定されたランクインジケータと、
前記２次セルのための低い測定値に設定された測定報告と、
クロスキャリアスケジューリングのための、前記２次セルのダウンリンクスケジュールのための無肯定応答（ＡＣＫ）または否定応答（ＮＡＣＫ）と
のうちの１つまたは複数をシグナリングすることをさらに備える、請求項１に記載の方法。
【請求項８】
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、請求項１に記載の方法。
【請求項９】
キャリアアグリゲーションを使用するワイヤレス通信ネットワークにおける２次コンポーネントキャリア上でのワイヤレス通信のための装置であって、
モバイルデバイスにおいて、２次セルとの前記２次コンポーネントキャリア上での通信リンクの障害を示すイベントについて、前記２次セルのダウンリンク無線リンク品質を監視するための手段と、
前記イベントを検出したことに応答して、前記２次セルの障害状態を宣言するための手段と、ここにおいて、前記検出することは、前記２次セルから受信された基準信号のチャネル品質または前記モバイルデバイスにおける復調性能のうちの少なくとも１つを測定するための手段を備え、前記イベントは、前記チャネル品質または復調性能のうちの少なくとも１つが、前記モバイルデバイスが前記２次コンポーネントキャリアに関係する動作を調整する所定の時間期間の間所定のしきい値を下回るときに検出されたリンク障害を含み、前記障害状態は、前記モバイルデバイスにおいてそれ自体の使用のために前記モバイルデバイスによって宣言される、
前記障害状態に応答して実行可能な、前記２次コンポーネントキャリア上でセル探索を実行するための手段と、ここにおいて、前記セル探索を実行するための前記手段は、前記２次コンポーネントキャリア上での通信のために割り当てられた１つまたは複数の２次セルからの１つまたは複数の同期または基準信号を監視するための手段を備える、
前記監視された１つまたは複数の同期または基準信号の品質に基づいて、前記１つまたは複数の２次セルを使用する前記２次コンポーネントキャリア上での前記通信リンクを復元するための手段と、ここにおいて、前記通信リンクを復元するための前記手段は、前記２次コンポーネントキャリア上での前記通信リンクが前記１つまたは複数の２次セルとの通信を含むように、前記１つまたは複数の２次セルとの接続を確立するための手段を備える、
を備える、装置。
【請求項１０】
前記１つまたは複数の２次セルとの前記通信リンクを復元するための前記手段が、前記モバイルデバイスによって、前記セル探索中に検出された探索オフセットを使用して１つまたは複数の２次セルトラッキングループを更新するための手段を備え、
前記１つまたは複数の２次セルトラッキングループを更新するための前記手段が、前記１つまたは複数の２次セルトラッキングループを再初期化することを含む、
請求項９に記載の装置。
【請求項１１】
前記障害状態に応答して実行可能な、
前記２次セルのための低い品質値に設定されたチャネル品質インジケータと、
前記２次セルのための低いランク値に設定されたランクインジケータと、
前記２次セルのための低い測定値に設定された測定報告と、
クロスキャリアスケジューリングのための、前記２次セルのダウンリンクスケジュールのための無肯定応答（ＡＣＫ）または否定応答（ＮＡＣＫ）と
のうちの１つまたは複数をシグナリングするための手段
をさらに備える、請求項９に記載の装置。
【請求項１２】
プログラムコードを記録した非一時的コンピュータ可読媒体であって、前記プログラムコードは、
モバイルデバイスにおいて、２次セルとの前記２次コンポーネントキャリア上での通信リンクの障害を示すイベントについて、前記２次セルのダウンリンク無線リンク品質を監視することをコンピュータに行わせるためのプログラムコードと、
前記イベントを検出したことに応答して、前記２次セルの障害状態を宣言することを前記コンピュータに行わせるためのプログラムコードと、ここにおいて、前記検出することは、前記２次セルから受信された基準信号のチャネル品質または前記モバイルデバイスにおける復調性能のうちの少なくとも１つを測定することを前記コンピュータに行わせるためのプログラムコードを備え、前記イベントは、前記チャネル品質または復調性能のうちの少なくとも１つが、前記モバイルデバイスが前記２次コンポーネントキャリアに関係する動作を調整する所定の時間期間の間所定のしきい値を下回るときに検出されたリンク障害を含み、前記障害状態は、前記モバイルデバイスにおいてそれ自体の使用のために前記モバイルデバイスによって宣言される、
前記障害状態に応答して実行可能な、前記２次コンポーネントキャリア上でセル探索を実行することを前記コンピュータに行わせるためのプログラムコードと、ここにおいて、前記セル探索を前記コンピュータに行わせるための前記プログラムコードは、前記２次コンポーネントキャリア上での通信のために割り当てられた１つまたは複数の２次セルからの１つまたは複数の同期または基準信号を監視することを前記コンピュータに行わせるためのプログラムコードを備える、
前記監視された１つまたは複数の同期または基準信号の品質に基づいて、前記１つまたは複数の２次セルを使用する前記２次コンポーネントキャリア上での前記通信リンクを復元することを前記コンピュータに行わせるためのプログラムコードと、ここにおいて、前記通信リンクを復元することを前記コンピュータに行わせるための前記プログラムコードは、前記２次コンポーネントキャリア上での前記通信リンクが前記１つまたは複数の２次セルとの通信を含むように、前記１つまたは複数の２次セルとの接続を確立することを前記コンピュータに行わせるためのプログラムコードを備える、
を備える、非一時的コンピュータ可読媒体。
【請求項１３】
前記障害状態を宣言したことに応答して実行される、
前記モバイルデバイスにおいて、前記２次セルに関連するＲＦ受信機を無効にすることを前記コンピュータに行わせるためのプログラムコード、
前記モバイルデバイスにおいて、前記２次セルに関連する復調経路を無効にすることを前記コンピュータに行わせるためのプログラムコード、
前記モバイルデバイスにおいて、前記２次セルに関連する変調経路を無効にすることを前記コンピュータに行わせるためのプログラムコード、
前記モバイルデバイスにおいて電力を低減することを前記コンピュータに行わせるためのプログラムコード、または
それらの２つまたはそれ以上の組合せ
をさらに備える、請求項１２に記載の非一時的コンピュータ可読媒体。
【請求項１４】
前記モバイルデバイスにおいて電力を低減することを前記コンピュータに行わせるための前記プログラムコードが、
前記モバイルデバイス中のいくつかのコンポーネントの電圧レベルを低下させることを前記コンピュータに行わせるためのプログラムコード、
前記モバイルデバイス中のいくつかのコンポーネントの前記電圧レベルを無効にすることを前記コンピュータに行わせるためのプログラムコード、
前記モバイルデバイス中のいくつかのコンポーネントの周波数レベルを低下させることを前記コンピュータに行わせるためのプログラムコード、
前記モバイルデバイス中のいくつかのコンポーネントの前記周波数レベルを無効にすることを前記コンピュータに行わせるためのプログラムコード、または
それらの２つまたはそれ以上の組合せ
のうちの１つを含む、請求項１３に記載の非一時的コンピュータ可読媒体。
【請求項１５】
前記障害状態に応答して実行可能な、前記１つまたは複数の２次セルの、前記１つまたは複数の同期または基準信号、またはセル固有基準信号、のうちの１つまたは複数の前記品質の測定を実行することを前記コンピュータに行わせるためのプログラムコードをさらに備え、ここにおいて、復元することを前記コンピュータに行わせるための前記プログラムコードは、前記品質が通信のための少なくともしきい値品質を満たすとき、前記１つまたは複数の２次セルとの前記２次コンポーネントキャリア上での前記通信リンクを復元することを前記コンピュータに行わせるためのプログラムコードを含む、
請求項１４に記載の非一時的コンピュータ可読媒体。
【請求項１６】
前記１つまたは複数の２次セルとの前記通信リンクを復元することを前記コンピュータに行わせるための前記プログラムコードが、
前記モバイルデバイスにおいて、前記１つまたは複数の２次セルに関連するＲＦ受信機を使用可能にすることを前記コンピュータに行わせるためのプログラムコード、
前記モバイルデバイスにおいて、前記１つまたは複数の２次セルに関連する復調経路をアクティブにすることを前記コンピュータに行わせるためのプログラムコード、
前記モバイルデバイスにおいて、前記１つまたは複数の２次セルに関連する変調経路をアクティブにすることを前記コンピュータに行わせるためのプログラムコード、
前記モバイルデバイスにおいて電力を回復させることを前記コンピュータに行わせるためのプログラムコード、または
それらの２つまたはそれ以上の組合せ
のうちの１つを含む、請求項１４に記載の非一時的コンピュータ可読媒体。
【請求項１７】
前記１つまたは複数の２次セルとの前記通信リンクを復元することを前記コンピュータに行わせるための前記プログラムコードが、前記モバイルデバイスによって、前記セル探索中に検出された探索オフセットを使用して１つまたは複数の２次セルトラッキングループを更新することを前記コンピュータに行わせるためのプログラムコードを備え、
前記１つまたは複数の２次セルトラッキングループを更新することを前記コンピュータに行わせるための前記プログラムコードが、前記１つまたは複数の２次セルトラッキングループを再初期化することを前記コンピュータに行わせるためのプログラムコードを含む、
請求項１４に記載の非一時的コンピュータ可読媒体。
【請求項１８】
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、請求項１２に記載の非一時的コンピュータ可読媒体。
【請求項１９】
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
モバイルデバイスにおいて、２次セルとの前記２次コンポーネントキャリア上での通信リンクの障害を示すイベントについて、前記２次セルのダウンリンク無線リンク品質を監視することと、
前記イベントを検出したことに応答して、前記２次セルの障害状態を宣言することと、ここにおいて、前記検出することは、前記２次セルから受信された基準信号のチャネル品質または前記モバイルデバイスにおける復調性能のうちの少なくとも１つを測定することを備え、前記イベントは、前記チャネル品質または復調性能のうちの少なくとも１つが、前記モバイルデバイスが前記２次コンポーネントキャリアに関係する動作を調整する所定の時間期間の間所定のしきい値を下回るときに検出されたリンク障害を含み、前記障害状態は、前記モバイルデバイスにおいてそれ自体の使用のために前記モバイルデバイスによって宣言される、
前記障害状態に応答して前記２次コンポーネントキャリア上でセル探索を実行することと、ここにおいて、前記セル探索は、前記２次コンポーネントキャリア上での通信のために割り当てられた１つまたは複数の２次セルからの１つまたは複数の同期または基準信号を監視することを備える、
前記監視された１つまたは複数の同期または基準信号の品質に基づいて、前記１つまたは複数の２次セルを使用する前記２次コンポーネントキャリア上での前記通信リンクを復元することと、ここにおいて、前記通信リンクを復元する前記少なくとも１つのプロセッサの構成は、前記２次コンポーネントキャリア上での前記通信リンクが前記１つまたは複数の２次セルとの通信を含むように、前記１つまたは複数の２次セルとの接続を確立する前記少なくとも１つのプロセッサを構成することを備える、
を行うように構成された、
装置。
【請求項２０】
前記障害状態を宣言したことに応答して、
前記モバイルデバイスにおいて、前記２次セルに関連するＲＦ受信機を無効にすること、
前記モバイルデバイスにおいて、前記２次セルに関連する復調経路を無効にすること、
前記モバイルデバイスにおいて、前記２次セルに関連する変調経路を無効にすること、
前記モバイルデバイスにおいて電力を低減すること、または
それらの２つまたはそれ以上の組合せ
を行うための前記少なくとも１つのプロセッサの構成をさらに備える、請求項１９に記載の装置。
【請求項２１】
前記モバイルデバイスにおいて電力を低減するための前記少なくとも１つのプロセッサの前記構成が、
前記モバイルデバイス中のいくつかのコンポーネントの電圧レベルを低下させること、
前記モバイルデバイス中のいくつかのコンポーネントの前記電圧レベルを無効にすること、
前記モバイルデバイス中のいくつかのコンポーネントの周波数レベルを低下させること、
前記モバイルデバイス中のいくつかのコンポーネントの前記周波数レベルを無効にすること、または
それらの２つまたはそれ以上の組合せ
を行うための前記少なくとも１つのプロセッサの構成のうちの１つを含む、請求項２０に記載の装置。
【請求項２２】
前記障害状態に応答して、前記１つまたは複数の２次セルの、前記１つまたは複数の同期または基準信号、またはセル固有基準信号、のうちの１つまたは複数の前記品質の測定を実行するための前記少なくとも１つのプロセッサの構成をさらに備え、ここにおいて、復元するための前記少なくとも１つのプロセッサの前記構成は、前記品質が通信のための少なくともしきい値品質を満たすとき、前記１つまたは複数の２次セルとの前記２次コンポーネントキャリア上での前記通信リンクを復元するための構成を含む、請求項１９に記載の装置。
【請求項２３】
前記１つまたは複数の２次セルとの前記２次コンポーネントキャリア上での前記通信リンクを復元するための前記少なくとも１つのプロセッサの前記構成が、
前記モバイルデバイスにおいて、前記１つまたは複数の２次セルに関連するＲＦ受信機を使用可能にすること、
前記モバイルデバイスにおいて、前記１つまたは複数の２次セルに関連する復調経路をアクティブにすること、
前記モバイルデバイスにおいて、前記１つまたは複数の２次セルに関連する変調経路をアクティブにすること、
前記モバイルデバイスにおいて電力を回復させること、または
それらの２つまたはそれ以上の組合せ
のうちの１つを行うための前記少なくとも１つのプロセッサの構成を含む、請求項１９に記載の装置。
【請求項２４】
前記１つまたは複数の２次セルとの前記通信リンクを復元するための前記少なくとも１つのプロセッサの前記構成が、前記モバイルデバイスによって、前記セル探索中に検出された探索オフセットを使用して１つまたは複数の２次セルトラッキングループを更新するための構成を備え、
前記１つまたは複数の２次セルトラッキングループを更新するための前記少なくとも１つのプロセッサの前記構成が、前記１つまたは複数の２次セルトラッキングループを再初期化するための構成を含む、
請求項１９に記載の装置。
【請求項２５】
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、請求項１９に記載の装置。
【手続補正２】
【補正対象書類名】明細書
【補正対象項目名】００７０
【補正方法】変更
【補正の内容】
【００７０】
[0075]本開示についての以上の説明は、いかなる当業者も本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
キャリアアグリゲーションを使用するワイヤレス通信ネットワークにおける２次コンポーネントキャリア上でのワイヤレス通信のための方法であって、
モバイルデバイスにおいて、２次セルとの前記２次コンポーネントキャリア上での通信リンクの障害を示すイベントについて、前記２次セルのダウンリンク無線リンク品質を監視することと、
前記イベントを検出したことに応答して、前記２次セルの障害状態を宣言することと、なお、障害状態の間に前記モバイルデバイスが前記２次コンポーネントキャリアに関係する動作を調整する、
を備える方法。
［Ｃ２］
前記障害状態を宣言したことに応答して、
前記モバイルデバイスにおいて、前記２次セルに関連するＲＦ受信機を無効にすること、
前記モバイルデバイスにおいて、前記２次セルに関連する復調経路を無効にすること、
前記モバイルデバイスにおいて、前記２次セルに関連する変調経路を無効にすること、
前記モバイルデバイスにおいて電力を低減すること、または
それらの２つまたはそれ以上の組合せ
をさらに備える、Ｃ１に記載の方法。
［Ｃ３］
前記モバイルデバイスにおいて電力を前記低減することが、
前記モバイルデバイス中のいくつかのコンポーネントの電圧レベルを低下させること、
前記モバイルデバイス中のいくつかのコンポーネントの前記電圧レベルを無効にすること、
前記モバイルデバイス中のいくつかのコンポーネントの周波数レベルを低下させること、
前記モバイルデバイス中のいくつかのコンポーネントの前記周波数レベルを無効にすること、または
それらの２つまたはそれ以上の組合せ
のうちの１つを含む、Ｃ２に記載の方法。
［Ｃ４］
前記障害状態に応答して前記２次コンポーネントキャリア上でセル探索を実行することと、
前記セル探索中に、１つまたは複数の同期信号の品質に基づいて、１つまたは複数の構成された２次セルとの前記２次コンポーネントキャリア上での前記通信リンクを復元することと
をさらに備える、Ｃ２に記載の方法。
［Ｃ５］
前記障害状態に応答して、前記１つまたは複数の構成された２次セルの、前記１つまたは複数の同期信号、またはセル固有基準信号、のうちの１つまたは複数の前記品質の測定を実行すること、ここにおいて、前記復元することは、前記品質が通信のための少なくともしきい値品質を満たすとき、前記１つまたは複数の構成された２次セルとの前記２次コンポーネントキャリア上での前記通信リンクを復元することを含む、
をさらに備える、Ｃ４に記載の方法。
［Ｃ６］
前記１つまたは複数の構成された２次セルとの前記通信リンクを前記復元することが、
前記モバイルデバイスにおいて、前記１つまたは複数の構成された２次セルに関連するＲＦ受信機を使用可能にすること、
前記モバイルデバイスにおいて、前記１つまたは複数の構成された２次セルに関連する復調経路をアクティブにすること、
前記モバイルデバイスにおいて、前記１つまたは複数の構成された２次セルに関連する変調経路をアクティブにすること、
前記モバイルデバイスにおいて電力を回復させること、または
それらの２つまたはそれ以上の組合せ
のうちの１つを含む、Ｃ４に記載の方法。
［Ｃ７］
前記１つまたは複数の構成された２次セルとの前記通信リンクを前記復元することが、前記モバイルデバイスによって、前記セル探索中に検出された探索オフセットを使用して１つまたは複数の２次セルトラッキングループを更新することを備え、
前記１つまたは複数の２次セルトラッキングループを前記更新することが、前記１つまたは複数の２次セルトラッキングループを再初期化することを含む、
Ｃ４に記載の方法。
［Ｃ８］
前記２次セルのための低い品質値に設定されたチャネル品質インジケータと、
前記２次セルのための低いランク値に設定されたランクインジケータと、
前記２次セルのための低い測定値に設定された測定報告と、
クロスキャリアスケジューリングのための、前記２次セルのダウンリンクスケジュールのための無肯定応答（ＡＣＫ）または否定応答（ＮＡＣＫ）と
のうちの１つまたは複数をシグナリングすることをさらに備える、Ｃ１に記載の方法。
［Ｃ９］
前記通信リンクの前記障害を示す前記イベントを検出することが、
前記モバイルデバイスにおいて受信基準信号の電力を測定すること、を含み、ここにおいて、前記イベントは、前記電力が所定の時間期間の間所定のしきい値を下回るときに検出されたリンク障害を含む、
Ｃ１に記載の方法。
［Ｃ１０］
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、Ｃ１に記載の方法。
［Ｃ１１］
キャリアアグリゲーションを使用するワイヤレス通信ネットワークにおける２次コンポーネントキャリア上でのワイヤレス通信のための装置であって、
モバイルデバイスにおいて、２次セルとの前記２次コンポーネントキャリア上での通信リンクの障害を示すイベントについて、前記２次セルのダウンリンク無線リンク品質を監視するための手段と、
前記イベントを検出したことに応答して、前記２次セルの障害状態を宣言するための手段と、なお、障害状態の間に前記モバイルデバイスが前記２次コンポーネントキャリアに関係する動作を調整する、
を備える装置。
［Ｃ１２］
前記障害状態に応答して実行可能な、前記２次コンポーネントキャリア上でセル探索を実行するための手段と、
前記セル探索中に、１つまたは複数の同期信号の品質に基づいて、１つまたは複数の構成された２次セルとの前記２次コンポーネントキャリア上での前記通信リンクを復元するための手段と
をさらに備える、Ｃ１１に記載の装置。
［Ｃ１３］
前記１つまたは複数の構成された２次セルとの前記通信リンクを復元するための前記手段が、前記モバイルデバイスによって、前記セル探索中に検出された探索オフセットを使用して１つまたは複数の２次セルトラッキングループを更新するための手段を備え、
前記１つまたは複数の２次セルトラッキングループを更新するための前記手段が、前記１つまたは複数の２次セルトラッキングループを再初期化することを含む、
Ｃ１２に記載の装置。
［Ｃ１４］
前記障害状態に応答して実行可能な、
前記２次セルのための低い品質値に設定されたチャネル品質インジケータと、
前記２次セルのための低いランク値に設定されたランクインジケータと、
前記２次セルのための低い測定値に設定された測定報告と、
クロスキャリアスケジューリングのための、前記２次セルのダウンリンクスケジュールのための無肯定応答（ＡＣＫ）または否定応答（ＮＡＣＫ）と
のうちの１つまたは複数をシグナリングするための手段
をさらに備える、Ｃ１１に記載の装置。
［Ｃ１５］
ワイヤレスネットワークにおけるワイヤレス通信のためのコンピュータプログラム製品であって、
プログラムコードを記録した非一時的コンピュータ可読媒体を備え、前記プログラムコードは、
モバイルデバイスにおいて、２次セルとの前記２次コンポーネントキャリア上での通信リンクの障害を示すイベントについて、前記２次セルのダウンリンク無線リンク品質を監視することをコンピュータに行わせるためのプログラムコードと、
前記イベントを検出したことに応答して、前記２次セルの障害状態を宣言することを前記コンピュータに行わせるためのプログラムコードと、なお、障害状態の間に前記モバイルデバイスが前記２次コンポーネントキャリアに関係する動作を調整する、
を含む、
コンピュータプログラム製品。
［Ｃ１６］
前記障害状態を宣言したことに応答して実行される、
前記モバイルデバイスにおいて、前記２次セルに関連するＲＦ受信機を無効にすることを前記コンピュータに行わせるためのプログラムコード、
前記モバイルデバイスにおいて、前記２次セルに関連する復調経路を無効にすることを前記コンピュータに行わせるためのプログラムコード、
前記モバイルデバイスにおいて、前記２次セルに関連する変調経路を無効にすることを前記コンピュータに行わせるためのプログラムコード、
前記モバイルデバイスにおいて電力を低減することを前記コンピュータに行わせるためのプログラムコード、または
それらの２つまたはそれ以上の組合せ
をさらに備える、Ｃ１５に記載のコンピュータプログラム製品。
［Ｃ１７］
前記モバイルデバイスにおいて電力を低減することを前記コンピュータに行わせるための前記プログラムコードが、
前記モバイルデバイス中のいくつかのコンポーネントの電圧レベルを低下させることを前記コンピュータに行わせるためのプログラムコード、
前記モバイルデバイス中のいくつかのコンポーネントの前記電圧レベルを無効にすることを前記コンピュータに行わせるためのプログラムコード、
前記モバイルデバイス中のいくつかのコンポーネントの周波数レベルを低下させることを前記コンピュータに行わせるためのプログラムコード、
前記モバイルデバイス中のいくつかのコンポーネントの前記周波数レベルを無効にすることを前記コンピュータに行わせるためのプログラムコード、または
それらの２つまたはそれ以上の組合せ
のうちの１つを含む、Ｃ１６に記載のコンピュータプログラム製品。
［Ｃ１８］
前記障害状態に応答して実行可能な、前記２次コンポーネントキャリア上でセル探索を実行することを前記コンピュータに行わせるためのプログラムコードと、
前記セル探索中に、１つまたは複数の同期信号の品質に基づいて、１つまたは複数の構成された２次セルとの前記２次コンポーネントキャリア上での前記通信リンクを復元することを前記コンピュータに行わせるためのプログラムコードと
をさらに備える、Ｃ１６に記載のコンピュータプログラム製品。
［Ｃ１９］
前記障害状態に応答して実行可能な、前記１つまたは複数の構成された２次セルの、前記１つまたは複数の同期信号、またはセル固有基準信号、のうちの１つまたは複数の前記品質の測定を実行することを前記コンピュータに行わせるためのプログラムコードをさらに備え、ここにおいて、復元することを前記コンピュータに行わせるための前記プログラムコードは、前記品質が通信のための少なくともしきい値品質を満たすとき、前記１つまたは複数の構成された２次セルとの前記２次コンポーネントキャリア上での前記通信リンクを復元することを前記コンピュータに行わせるためのプログラムコードを含む、
Ｃ１８に記載のコンピュータプログラム製品。
［Ｃ２０］
前記１つまたは複数の構成された２次セルとの前記通信リンクを復元することを前記コンピュータに行わせるための前記プログラムコードが、
前記モバイルデバイスにおいて、前記１つまたは複数の構成された２次セルに関連するＲＦ受信機を使用可能にすることを前記コンピュータに行わせるためのプログラムコード、
前記モバイルデバイスにおいて、前記１つまたは複数の構成された２次セルに関連する復調経路をアクティブにすることを前記コンピュータに行わせるためのプログラムコード、
前記モバイルデバイスにおいて、前記１つまたは複数の構成された２次セルに関連する変調経路をアクティブにすることを前記コンピュータに行わせるためのプログラムコード、
前記モバイルデバイスにおいて電力を回復させることを前記コンピュータに行わせるためのプログラムコード、または
それらの２つまたはそれ以上の組合せ
のうちの１つを含む、Ｃ１８に記載のコンピュータプログラム製品。
［Ｃ２１］
前記１つまたは複数の構成された２次セルとの前記通信リンクを復元することを前記コンピュータに行わせるための前記プログラムコードが、前記モバイルデバイスによって、前記セル探索中に検出された探索オフセットを使用して１つまたは複数の２次セルトラッキングループを更新することを前記コンピュータに行わせるためのプログラムコードを備え、
前記１つまたは複数の２次セルトラッキングループを更新することを前記コンピュータに行わせるための前記プログラムコードが、前記１つまたは複数の２次セルトラッキングループを再初期化することを前記コンピュータに行わせるためのプログラムコードを含む、
Ｃ１８に記載のコンピュータプログラム製品。
［Ｃ２２］
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、Ｃ１５に記載のコンピュータプログラム製品。
［Ｃ２３］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
モバイルデバイスにおいて、２次セルとの前記２次コンポーネントキャリア上での通信リンクの障害を示すイベントについて、前記２次セルのダウンリンク無線リンク品質を監視することと、
前記イベントを検出したことに応答して、前記２次セルの障害状態を宣言することと、なお、障害状態の間に前記モバイルデバイスが前記２次コンポーネントキャリアに関係する動作を調整する、
を行うように構成された、
装置。
［Ｃ２４］
前記障害状態を宣言したことに応答して、
前記モバイルデバイスにおいて、前記２次セルに関連するＲＦ受信機を無効にすること、
前記モバイルデバイスにおいて、前記２次セルに関連する復調経路を無効にすること、
前記モバイルデバイスにおいて、前記２次セルに関連する変調経路を無効にすること、
前記モバイルデバイスにおいて電力を低減すること、または
それらの２つまたはそれ以上の組合せを行うための前記少なくとも１つのプロセッサの構成をさらに備える、Ｃ２３に記載の装置。
［Ｃ２５］
前記モバイルデバイスにおいて電力を低減するための前記少なくとも１つのプロセッサの前記構成が、
前記モバイルデバイス中のいくつかのコンポーネントの電圧レベルを低下させること、
前記モバイルデバイス中のいくつかのコンポーネントの前記電圧レベルを無効にすること、
前記モバイルデバイス中のいくつかのコンポーネントの周波数レベルを低下させること、
前記モバイルデバイス中のいくつかのコンポーネントの前記周波数レベルを無効にすること、または
それらの２つまたはそれ以上の組合せ
を行うための前記少なくとも１つのプロセッサの構成のうちの１つを含む、Ｃ２４に記載の装置。
［Ｃ２６］
前記少なくとも１つのプロセッサが、
前記障害状態に応答して、前記２次コンポーネントキャリア上でセル探索を実行することと、
前記セル探索中に、１つまたは複数の同期信号のうちの１つの品質に基づいて、１つまたは複数の構成された２次セルとの前記２次コンポーネントキャリア上での前記通信リンクを復元することと
を行うようにさらに構成された、Ｃ２４に記載の装置。
［Ｃ２７］
前記障害状態に応答して、前記１つまたは複数の構成された２次セルの、前記１つまたは複数の同期信号、またはセル固有基準信号、のうちの１つまたは複数の前記品質の測定を実行するための前記少なくとも１つのプロセッサの構成をさらに備え、ここにおいて、復元するための前記少なくとも１つのプロセッサの前記構成は、前記品質が通信のための少なくともしきい値品質を満たすとき、前記１つまたは複数の構成された２次セルとの前記２次コンポーネントキャリア上での前記通信リンクを復元するための構成を含む、Ｃ２６に記載の装置。
［Ｃ２８］
前記１つまたは複数の構成された２次セルとの前記２次コンポーネントキャリア上での前記通信リンクを復元するための前記少なくとも１つのプロセッサの前記構成が、
前記モバイルデバイスにおいて、前記１つまたは複数の構成された２次セルに関連するＲＦ受信機を使用可能にすること、
前記モバイルデバイスにおいて、前記１つまたは複数の構成された２次セルに関連する復調経路をアクティブにすること、
前記モバイルデバイスにおいて、前記１つまたは複数の構成された２次セルに関連する変調経路をアクティブにすること、
前記モバイルデバイスにおいて電力を回復させること、または
それらの２つまたはそれ以上の組合せ
のうちの１つを行うための前記少なくとも１つのプロセッサの構成を含む、Ｃ２６に記載の装置。
［Ｃ２９］
前記１つまたは複数の構成された２次セルとの前記通信リンクを復元するための前記少なくとも１つのプロセッサの前記構成が、前記モバイルデバイスによって、前記セル探索中に検出された探索オフセットを使用して１つまたは複数の２次セルトラッキングループを更新するための構成を備え、
前記１つまたは複数の２次セルトラッキングループを更新するための前記少なくとも１つのプロセッサの前記構成が、前記１つまたは複数の２次セルトラッキングループを再初期化するための構成を含む、
Ｃ２６に記載の装置。
［Ｃ３０］
前記２次コンポーネントキャリアに関係する前記動作が、
前記２次セル上の通信に割り振られた前記モバイルデバイスのリソースの調整と、
前記２次セル上の前記モバイルデバイスにおけるデータの受信と、
前記２次セル上の前記モバイルデバイスからのデータの送信と
のうちの１つまたは複数を含む、Ｃ２３に記載の装置。